(57)【要約】      （修正有）【課題】或る特定の地理的エリアの公開格付けを取得し、公開格付けに基づいて情報を表示する情報システムを提供する。【解決手段】クライアントデバイス３上のマップ表示手段７と、要求されたマップ情報を捕捉し、或る特定のセグメントがクライアントデバイス上に表示される度にセグメント周波数信号をトリガする信号トリガ手段１５と、セグメント周波数信号を処理用に記録する測定手段１９と、受信したセグメント周波数信号を処理して、それぞれのクライアントデバイス上のセグメントの総インプレッション数とによって定義されるロケーションデータを生成する信号処理手段２３と、信号から求められたセグメント識別子に対応する特定の地理的エリアの公開格付けを、セグメント識別子と該セグメント識別子に対応するセグメントの総インプレッション数とによって定義されるロケーションデータを考慮して生成する格付け手段３７と含む。【選択図】図２
2014182838.tif 000002
【特許請求の範囲】
【請求項１】
或る特定の地理的エリアの公開格付け（２９）を取得する情報システム（１）であって、
ａ．少なくとも１つのクライアントデバイス上のマップ表示手段と、
ｂ．要求されたマップ情報を捕捉し、或る特定のセグメント識別子を有するマップの特定のセグメントが前記少なくとも１つのクライアントデバイス上に表示される度にセグメント周波数信号をトリガする、サーバ上の信号トリガ手段であって、前記マップ情報は、マップを形成するセグメント、又はセグメントから作成されるマップの画像を含むものである、信号トリガ手段と、
ｃ．前記セグメント周波数信号を処理用に記録する、前記サーバ上の測定手段と、
ｄ．受信した前記セグメント周波数信号を処理して、少なくとも前記セグメント識別子と前記それぞれのクライアントデバイス上の前記セグメント識別子に対応する前記セグメントの総インプレッション数とによって定義されるロケーションデータを生成する、前記サーバ上の信号処理手段と、
ｅ．前記サーバ上に前記ロケーションデータを記憶する、前記サーバ上の記憶手段と、
ｆ．前記信号から求められた少なくとも１つセグメント識別子に対応する特定の地理的エリアの公開格付けを、少なくとも前記セグメント識別子と該セグメント識別子に対応する前記セグメントの前記総インプレッション数とによって定義される前記ロケーションデータを考慮して生成する、前記サーバ上の格付け手段と
を含んでなる、或る特定の地理的エリアの公開格付けを取得する情報システム。
【請求項２】
情報システム（１）であって、
前記信号トリガ手段（１５）は、特定のセグメント識別子（１３）に対応するセグメント（１１）の一部のみが示されたか否かを検出する手段を含むことを特徴とする、請求項１に記載の情報システム。
【請求項３】
情報システム（１）であって、
該情報システム（１）は、前記少なくとも１つのクライアントデバイス（３）上に、現在前記ユーザに表示されている前記セグメント（１３）の前記地理的エリア又は前記少なくとも１つのセグメント識別子（１３）に対応する前記公開格付け（２９）に応じて追加情報（３３）をユーザに送信する情報表示手段（３５）も備えることができることを特徴とする、請求項１又は２に記載の情報システム。
【請求項４】
情報システム（１）であって、
前記信号トリガ手段（１５）は、前記クライアントデバイス（３）のＩＰアドレスを検出及び処理することもできることを特徴とする、請求項１〜３のいずれか一項に記載の情報システム。
【請求項５】
情報システム（１）であって、
前記信号トリガ手段（１５）は、前記要求及びこれにより前記サーバ（９）上に生成される信号の時刻を検出及び処理し、タイムスタンプを生成することもできることを特徴とする、請求項１〜４のいずれか一項に記載の情報システム。
【請求項６】
情報システム（１）であって、
前記信号トリガ手段（１５）は、前記クライアントデバイス（３）の地理的ロケーションを検出することもできることを特徴とする、請求項１〜５のいずれか一項に記載の情報システム。
【請求項７】
情報システム（１）であって、
前記マップ表示手段（７）のズームレベルが最大セグメント（ｓｅｇｍｅｎｔｓ＿ｍａｘ）個よりも多くのセグメント（１１）を表示している場合には、信号（１７）は生成されないことを特徴とし、ここで、最大セグメント（ｓｅｇｍｅｎｔｓ＿ｍａｘ）は好ましくは整数である、請求項１〜６のいずれか一項に記載の情報システム。
【請求項８】
情報システム（１）であって、
前記地理的エリアは、或る特定のセグメント識別子（１３）を有するセグメント（１１）の群として定義することができることを特徴とする、請求項１〜７のいずれか一項に記載の情報システム。
【請求項９】
或る特定の地理的エリアの公開格付け（２９）を取得するコンピュータの実行方法であって、
ａ．地理的エリアに対応する地形マップの或る特定のセグメント識別子（１３）を有するセグメント（１１）の画像を、サーバ（９）又はマップサーバから少なくとも１つのクライアントデバイス（３）に、この地理的エリアに対応するマップ（５）の表示を要求する、前記それぞれのクライアントデバイス（３）による前記サーバ（９）への要求に基づいて転送及び表示するステップと、
ｂ．前記サーバ（９）上で前記セグメントの表示を各セグメント（１１）の表示ごとに捕捉するステップであって、前記セグメント（１１）のインプレッション数に対応するセグメント周波数信号（１７）を作成する、捕捉するステップと、
ｃ．前記サーバ（９）上で、前記セグメント周波数信号（１７）及び前記対応するセグメント識別子（１３）を含むロケーションデータ（２５）を生成するステップと、
ｄ．前記クライアントデバイス（３）のうちの少なくとも１つに前記セグメント（１１）の総インプレッションを定義する前記ロケーションデータ（２５）を記憶するステップと、
ｅ．前記ロケーションデータ（２５）を考慮して、前記セグメント周波数信号（１７）から求められた少なくとも１つのセグメント識別子（１３）に対応する特定の地理的エリアの公開格付け（２９）を計算するステップと
を含んでなる、或る特定の地理的エリアの公開格付けを取得するコンピュータの実行方法。
【発明の詳細な説明】
【技術分野】
【０００１】
本発明は、或る特定の地理的エリアの公開格付け（exposition rating）を取得する情報システムと、或る特定の地理的エリアの公開格付けを取得するコンピュータ実施方法とに関する。
【背景技術】
【０００２】
地理的領域又は区域を格付け及び評価することは、常に困難な作業であった。例として、ショッピングエリア内の小売店の推定賃貸価格は通常、或る特定の建物又は道路を通りかかる訪問者を手作業でカウントすることによって評価される。幾つかの解決策は、カメラ並びに訪問者の自動画像処理及び自動画像認識を既に提案している。しかしながら、これらの解決策は全て、或る特定の地理的エリア（特定の店のロケーションのように小さいもの、又は市周辺の領域のように大きいもの）の人気度に関する信頼性のある情報を取得するには、時間及び金銭面で大きな投資を必要とする。
【発明の概要】
【発明が解決しようとする課題】
【０００３】
したがって、本発明の根底をなす問題は、地理的エリアの人気度を求める自動化された技術を提供することである。
【課題を解決するための手段】
【０００４】
第１の実施形態において、本発明の根底をなす問題については、
或る特定の地理的エリアの公開格付けを取得する情報システムであって、
ａ．少なくとも１つのクライアントデバイス上のマップ表示手段と、
ｂ．要求されたマップ情報を捕捉し、或る特定のセグメント識別子を有するマップの特定のセグメントが前記少なくとも１つのクライアントデバイス上に表示される度にセグメント周波数信号をトリガする、サーバ上の信号トリガ手段であって、前記マップ情報は、マップを形成するセグメント、又はセグメントから作成されるマップの画像を含む、信号トリガ手段と、
ｃ．前記セグメント周波数信号を処理用に記録する、前記サーバ上の測定手段と、
ｄ．受信した前記セグメント周波数信号を処理して、少なくとも前記セグメント識別子と前記それぞれのクライアントデバイス上の前記セグメント識別子に対応する前記セグメントの総インプレッション数とによって定義されるロケーションデータを生成する、前記サーバ上の信号処理手段と、
ｅ．前記サーバ上にこのロケーションデータを記憶する、前記サーバ上の記憶手段と、
ｆ．前記信号から求められた少なくとも１つセグメント識別子に対応する特定の地理的エリアの公開格付けを、少なくとも前記セグメント識別子と該セグメント識別子に対応する前記セグメントの前記総インプレッション数とによって定義される前記ロケーションデータを考慮して生成する、前記サーバ上の格付け手段と
を備えてなる、情報システムによって解決される。
【０００５】
本発明は、地理的エリアの格付けを、当該地理的エリアの人気度に基づいて容易にし、簡略化する方法及びシステムを提供することによって上記の問題に対処する。
【０００６】
従来技術の技術的問題は、或る特定の地理的エリアの訪問者をカウントする自動化された技術的解決を得るのが難しく、例えば或る特定の道路を、カメラを用いて自動的に監視し、取得した画像を処理してその道路にある店を通りかかる訪問者を追跡及びカウントするには大量の技術的インフラストラクチャが必要であることにあった。この技術的問題は、人間とコンピュータとのインタラクションを捕捉し、測定信号を作成し、これらの測定信号がサーバにおいて記録及び処理され、従来技術の解決策によって得られる結果に匹敵する結果が得られる、技術的手段によって解決される。このため、本発明は、人間とコンピュータとの間のインタラクションを用いてこのインタラクションを改善するとともに、信号を測定しこの信号を処理して、従来技術の技術的問題を解決する更なる技術的効果を有する。このため、技術的検討事項は本発明者らを技術的解決に導いた。
【０００７】
本発明の明らかな利点は、膨大なクライアントデバイスに安価な技術を展開し、従来の技術と比較してそれに匹敵する結果を得ることである。地理的エリアは、クライアントデバイスにおいて測定可能な信号を作成し、これらの信号をサーバ上で処理することのみによって、高価なカメラを必要とすることなく、それらの地理的エリアの人気度に基づいて容易に格付け及び比較することができる。
【０００８】
本発明は、リアルタイムでの地理的エリアの格付けも可能にするのに対し、従来技術の解決策はこれまで、より長い時間間隔において或る特定の地理的エリアの格付けを配信することしか可能でなかった。
【０００９】
従来技術を上回る全ての説明した利点は、以下に説明する好ましい実施形態によって、より一層達成される。
【００１０】
技法及び技術は、本明細書において、機能的及び／又は論理的ブロック構成要素の観点から、様々な計算構成要素又は計算デバイスによって行うことができる動作、処理タスク及び機能のシンボル表現を参照して説明される場合がある。図に示す様々なブロック構成要素は、特定の機能を実行するように構成されるハードウェア構成要素、ソフトウェア構成要素及び／又はファームウェア構成要素の任意の構成によって実現することができることを理解すべきである。例えば、システム又は構成要素の一実施形態は、様々な集積回路構成要素、例えば、メモリ要素、デジタル信号処理要素、論理要素、ルックアップテーブル等を用いることができ、これらは１つ若しくは複数のマイクロプロセッサ又は他の制御デバイスの制御下で様々な機能を実行することができる。
【００１１】
本明細書において用いられる用語は以下の通りである。
公開格付け：様々な地理的エリアを比較するのに用いられる地理的エリアの人気度を表す値。
地理的エリア：郵便番号、郵便番号グループ、セル識別（Ｃｅｌｌ−ＩＤ）情報、発呼者ＩＤ（Ｃａｌｌ−ＩＤ）情報、州、群、市、町、場所若しくは他の行政区画若しくは市政区画の境界、緯度及び経度並びに３次元マップの場合は高さの固定範囲内のロケーション、又は特定の２次元若しくは３次元の幾何学的境界内のロケーションの観点で例示のために定義される。地理的エリアは、ハンドセット、又は自身のクライアントデバイス上で或る特定の地理的エリアの表示を要求しているユーザの現在のロケーションに基づいて自動的に設定することができるが、そうである必要はない。地理的エリアは、手動の、口頭の、又はユーザが特定した入力に基づいてユーザによって指定することができるが、そうである必要はない。地理的エリアは、セグメント又はセグメントグループによって表すことができるが、そうである必要はない。地理的エリアは、国内の州等の粗い地理的関心エリア、又は特定の区域等のより精密な地理的関心エリアとすることができる。後者は前者の一部分である。地理的エリアは、ユーザの実際の地理的ロケーションと同じとすることもできるし、異なることもできる。ユーザのロケーションは変化する場合があり、ユーザは移動デバイスを用いる場合がある。「地理的エリア」という用語は、実世界又は仮想世界（例えばコンピュータゲーム内）の地理的エリアを指すことができる。
ＧＰＳ：全地球測位システムが、３つ以上の軌道上のＧＰＳ衛星から信号を受信するように装備される地上ベースのポータブルデバイスにおける地理的な２次元位置特定又は３次元位置特定を可能にする。
Ｇｌｏｎａｓｓ：Ｇｌｏｎａｓｓが、３つ以上の軌道上のＧｌｏｎａｓｓ衛星から信号を受信するように装備される地上ベースのポータブルデバイスにおける地理的な２次元位置特定又は３次元位置特定を可能にする。
サーバ：コンピュータが、ＣＰＵ、メモリ、記憶デバイス、通信手段等を備える。サーバはオペレーティングシステムによって実行される。コンピュータプログラムがインストールされ、本発明の実行を容易にするようにコンピュータプログラムを実行することができる。本発明の意味でのサーバという語は、マップコンテンツサーバ及び統計サーバ等の複数のサーバも含むことができる。
クライアントデバイス：ＣＰＵ、メモリ、記憶デバイス、ディスプレイ、通信手段等を備える、各ユーザによって用いられるコンピュータ。クライアントデバイスのディスプレイは、マップを表示することが可能である。クライアントデバイスは、オペレーティングシステムによって実行される。コンピュータプロウラムがインストールされ、本発明の実行を容易にするようにこれらのコンピュータプロウラムを実行することができる。クライアントデバイスは、ハンドヘルドコンピュータ、デスクトップコンピュータ、ラップトップコンピュータ、電話、スマートフォン、移動電話、ポータブルコンピュータゲーム、又はインテリジェントヘッドマウントディスプレイとすることができるが、そうである必要はない。
マップ：マップは、常に地理的電子マップを指す。例として、マップは、デカルトマップ、メルカトルマップ又は心射図マップとすることができる。例として、マップは、政治マップ、物理マップ、地形マップ、地質マップ、衛星画像マップ、（Ｇｏｏｇｌｅ  Ｅａｒｔｈ等の製品のような）３次元マップ、又はストリートマップとすることができる。３次元マップは、全て３次元の座標を含みうる。マップは、実世界又は仮想世界（例えばコンピュータゲーム内）のマップとすることができる。
セグメント：マップの或る特定の部分。唯一必要な条件は、全てのセグメントが合わさってマップが形成されることである。セグメントは任意の幾何学的形状を有することができる。例として、これはマップの一部の長方形画像とすることができる。セグメントは、全て同じ大きさを有することもできるし、有しないこともできる。セグメントは３次元とし、３次元マップを形成することもできるし、２次元とし、２次元マップを形成することもできる。例として、３次元マップのセグメントは立方体形状とすることができる。別の例として、２次元マップのセグメントはタイルとすることができる。
セグメント周波数信号：この信号は、クライアントデバイス又はサーバ上で測定することができ、クライアントデバイスのディスプレイ上のセグメントのインプレッション数を表す。この信号は、アナログ信号又はデジタル信号でありうるが、そうでなくてもよい。
ユーザ：クライアントデバイスとインタラクトする人間、別の知覚を有する生物（sentient beings）又は人工知能。
ＩＰアドレス：これは、インターネット等のネットワーク上のクライアントデバイスのような任意の所与のコンピュータを特定する一意のアドレスである。これは、限定ではないが、インターネットプロトコルＩＰｖ４又はＩＰｖ６によって定義されるアドレスを含む。
タイムスタンプ：或る特定の時刻を表す番号。例として、タイムスタンプは、ＵＴＣでの１９７０年１月１日００：００ａｍから開始する秒をカウントする整数とすることができる。
データベーステーブル：本発明の意味でのデータベーステーブルは、リレーショナルデータベースにおけるデータベーステーブルとすることができるが、データベース水平分割（シャード）又はデータベースクラスタリング等の他の関連する記憶手段とすることもできる。
【００１２】
特定のマップに対するユーザによる要求を、
−特定のロケーション若しくは領域の特定のアドレス又は他の識別子のユーザ入力に基づいて、又は、
−ユーザの目の動きに基づいて、クライアントデバイスのディスプレイ内のマップを動かすユーザの目の視線追跡を行うことによって、又は
−マウス等のクライアントの他の入力デバイスを監視して、例えばユーザがマップを或る特定の方向にドラッグしているか、又はユーザがマップ上の或る特定の位置を、例えばクリックによって選択していると判断することによって、
生成することができる。
【００１３】
実際のセグメント、又はセグメントから構成されるマップの画像は、サーバ、又はＧｏｏｇｌｅ−Ｍａｐｓサーバ、ＯｐｅｎＳｔｒｅｅｔＭａｐ若しくはＮｏｋｉａ社によるマップサービス等の第三者のマップサーバから供給されることがある。
【００１４】
マップは、選択されたロケーションの上方から見るように表示することもできるし（例えば、マップオーバビュー）、選択されたロケーションにいる人物の視点から見るように３次元で表示することもできる（例えば、ロケーションビュー）。
【００１５】
有利には、情報システムは、現在ユーザに表示されているセグメントの地理的領域又は少なくとも１つセグメント識別子に対応する公開格付けに依拠してユーザに追加情報を表示する情報表示手段も、少なくとも１つのクライアントデバイス上に備えることができる。
【００１６】
また、例えばマウス等の入力デバイスの挙動を変更して、クライアントデバイスに対する追加動作を、公開格付けに依拠してトリガすることができる。
【００１７】
追加情報は、サーバ又は任意の他の第三者コンピュータからクライアントデバイスに送信することができる。追加情報は、マップの上のオーバレイの形態をとることができ、オーバレイの色及び／又は透明度は、オーバレイの下に表示されるセグメント又は地理的エリアの公開格付けに依拠する。追加情報は、テキスト又は他の視覚コンテンツ（例えば画像又はビデオ）を表示する、１つ以上のボックス又は六角形のような任意の他の幾何学的形状の１つ以上の仮想テーブルの形態をとることもできる。ここで、ボックス内に表示されるコンテンツは公開格付けに依拠する。追加情報は、０（ほぼ透明）よりも大きく１（完全に不透明）までの不透明度、好ましくは０．５〜０．９の不透明度を有することができる。コンテンツは、例えば、小売店の平方メートルあたりの或る特定の賃貸基本料に公開格付けを乗算したものとすることができる。ボックスのコンテンツも、第三者コンピュータから供給される画像の形態をとることができ、供給される画像は公開格付けに依拠する。例として、表示される地理的エリアが低い公開格付けを有する場合、１つのコインを有する画像を供給することができ、表示される地理的エリアが高い公開係数を有する場合、３つのコインを有する画像を供給することができる。
【００１８】
追加情報は、ベル等の音声信号とすることもできる。この音声信号は、公開格付けに依拠して変更することができる。代替的に、音声信号は上記で説明したような視覚追加情報に加えて生成することができる。
【００１９】
有利には、信号トリガ手段は、特定のセグメント識別子に対応するセグメントの一部のみが示されたか否かを検出する手段も含みうる。好ましくは、示されたセグメントのパーセンテージは、例えばサーバ上でセグメントパーセンテージとして捕捉され、例として、次にサーバによってセグメント周波数信号の一部として又はセグメント周波数信号とともに処理される。検出手段は、マップ表示手段によって示されるエリアに対するセグメントの関連度を考慮する関連度モジュールも含みうる。
【００２０】
このため、信号処理手段が、ロケーションデータを生成するときにセグメントパーセンテージを考慮することが好ましい。
【００２１】
好ましくは、格付け手段は、公開格付けを作成するときにセグメントパーセンテージを考慮する。
【００２２】
有利には、信号トリガ手段は、クライアントデバイスのＩＰアドレスも保存又は処理することができる。
【００２３】
好ましくは、ＩＰアドレスは、セグメント処理信号の一部として又はセグメント処理信号とともに捕捉され、サーバに送信される。
【００２４】
このため、信号処理手段が、ロケーションデータを生成するときにＩＰアドレスを考慮することが好ましい。好ましい実施形態では、ＩＰアドレスあたりの処理信号数、したがってＩＰアドレスあたりの最終マップ要求数は、信号の最大数ｃｏｕｎｔ＿ｍａｘが定義されるように制限され、或る特定の時間フレームｄｅｌｔａ＿ｔｉｍｅ内で特定のＩＰアドレスからの処理される信号数がこの制限を超える場合、最後のｃｏｕｎｔ＿ｍａｘ個の信号のみが処理される。
【００２５】
これに加えて、又はこれとは無関係に、数ｃｏｕｎｔ＿ｍｉｎを定義することができ、或る特定の時間フレームｄｅｌｔａ＿ｔｉｍｅ内で処理される信号数がｃｏｕｎｔ＿ｍｉｎ未満である場合、過去の全ての信号、ただし最大でｃｏｕｎｔ＿ｍｉｎと同じ数の信号がカウントされる。処理される信号数がｃｏｕｎｔ＿ｍｉｎとｃｏｕｎｔ＿ｍａｘとの間である場合、好ましくはｄｅｌｔａ＿ｔｉｍｅ内で実際の信号数を処理することができる。
【００２６】
好ましくは、格付け手段は、公開格付けを作成するときにＩＰアドレスを考慮する。
【００２７】
好ましくは、格付け手段は、日付又は時間、及び特に、季節係数を伴う公開格付けを作成するときは季節も考慮する。これは、例えばアイスクリームパーラーの賃貸見積りを、季節に応じて異なる形で計算することができるという利点を有する。夏のアイスクリームパーラーの賃貸は冬よりも高いレベルに設定され得ることを推定することができる。
【００２８】
有利には、信号トリガ手段は、要求及びこれによりサーバ上に生成される信号の時刻を検出及び処理し、タイムスタンプを生成することもできる。
【００２９】
好ましくは、タイムスタンプは、セグメント周波数信号の一部として又はセグメント処理信号とともに捕捉され、サーバに送信される。
【００３０】
このため、信号処理手段が、ロケーションを生成するときにタイムスタンプを考慮することが好ましい。
【００３１】
好ましくは、格付け手段は、公開格付けを作成するときにタイムスタンプを考慮する。
【００３２】
有利には、信号トリガ手段はクライアントデバイスの地理的ロケーションを検出することもできる。クライアントデバイスの地理的ロケーションは、ＧＰＳ、ＧＳＭ（登録商標）セル識別（Ｃｅｌｌ−ＩＤ）情報、ＷｉＦｉ−情報、ＩＰアドレス又はＧｌｏｎａｓｓのジオロケーションを含む様々な方法を用いることによって検出することができる。
【００３３】
クライアントデバイスは、目の動き又は表情も追跡し、この情報をクライアントに送信することができる。そして、クライアントはこの情報をロケーションデータとともに含めるか、又はこのデータをロケーションデータと並列に処理することができる。この情報は、サーバ上の記憶手段を用いて記憶することもできるし、ロケーションデータと同じデータベースレコード内に記憶することもできる。
【００３４】
クライアントデバイスは、ユーザの視認挙動、特に視認方向、視認傾斜角度、視認奥行き及び／又は視認幅を捕捉する手段を備えることもできる。視認挙動は、実世界において、仮想世界において、又は表示手段とインタラクトするユーザの視認挙動として捕捉することができる。視認挙動は、眼鏡又は視線追跡手段を用いて捕捉することができる。
【００３５】
視認挙動はサーバに送信することができる。そして、クライアントは、視認挙動に関するこの情報をロケーションデータとともに含めるか、又はこのデータをロケーションデータと並列に処理することができる。視認挙動に関するこの情報は、記憶手段を用いてサーバ上に記憶することもできるし、ロケーションデータと同じデータベースレコードに記憶することもできる。格付け手段は、クライアントデバイスのユーザの視認挙動を考慮して、ユーザによって視認された特定の物体（例えば家）の格付けを計算することができることが好ましい。この機能は、サービスプロバイダが、（現実に又は仮想的に）クライアントデバイスのユーザがいた場所のみでなく、実際に見たものに関する情報も得ることができるという利点を有する。例として、ドイツ国ベルリン市アレクサンダー広場の訪問者が、本発明によるシステムを実装するアプリケーションを自身の移動電話にインストールした。この訪問者は、周りを見渡し、「放送塔（Funkturm）」（すなわち電気通信手段を備えるタワー）を正確に１０秒間見ている。これを捕捉し、格付け手段によって、特に「放送塔」の格付けを計算するのに用いる。これは以前から既知の技術では可能でなかった。
【００３６】
視認方向は、クライアントデバイスのコンパス機能及び／又はクライアントデバイスの表示手段上のマップの方向によって取得できることが好ましい。
【００３７】
視認傾斜角は、高度計、ＧＰＳ、ＧＳＭ又はＷｉＦｉデータからのデータを用いることによって、又はユーザと表示手段とのインタラクションを評価することによって取得することができることが好ましい。
【００３８】
視認奥行き及び視認幅は、ユーザの現在の位置、ユーザの視認方向、及びユーザの視野を制限する任意の既知の物体（例えば、マップ内にマークされた家）を考慮して取得することができることが好ましい。
【００３９】
好ましくは、表示手段は、それぞれのロケーションに存在する他のユーザを表現するアイコン又はアバターをマップ上に表示することができる。これらのユーザは、現実に（例えばそれぞれのロケーションにおける自身の移動クライアントデバイスとともに）存在することもできるし、仮想的に存在する（例えば自宅で自身のコンピュータを用いてロケーションを訪問する）こともできる。アイコン又はアバターは、ユーザ嗜好又はステータスに基づいて異なることができる（例えば現実の訪問者対仮想訪問者）。
【００４０】
クライアントデバイスは、追加のユーザ固有のデータ、特に動きの方向、ユーザが或る特定のロケーションに安定している時間、或る特定の方向におけるユーザの視野の持続時間、天候、ユーザの年齢、性別及び／又は関心／趣味を捕捉する手段も備えることができる。
【００４１】
追加のユーザ固有データはサーバに送信することができる。そして、クライアントはこの追加のユーザ固有データをロケーションデータとともに含めることができるか、又はこのデータをロケーションデータと並列に処理することができる。この追加のユーザ固有データは、サーバ上の記憶手段を用いて記憶することもでき、ロケーションデータと同じデータベースレコード内に記憶することができる。格付け手段は、クライアントデバイスのユーザの追加のユーザ固有データを考慮してユーザが見た特定の物体（例えば家）の格付けを計算することができることが好ましい。
【００４２】
好ましくは、クライアントデバイスの地理的ロケーションが捕捉され、セグメント周波数信号の一部として、又はセグメント周波数信号とともにサーバに送信される。
【００４３】
このため、信号処理手段が、ロケーションデータを生成するときにクライアントデバイスの地理的ロケーションを考慮することが好ましい。
【００４４】
好ましくは、格付け手段は、公開格付けを作成するときにクライアントデバイスの地理的ロケーションを考慮する。
【００４５】
有利には、格付け手段は、セグメント識別子及び／又は地理的エリアごとに、計算された公開格付けを記憶手段に記憶する。
【００４６】
好ましくは、マップ表示手段のズームレベルが最大セグメント（ｓｅｇｍｅｎｔｓ＿ｍａｘ）個よりも多くのセグメントを表示している場合、信号は生成されない。ここで、ｓｅｇｍｅｎｔｓ＿ｍａｘは整数である。このように、ユーザがマップを遠くにズームアウトし、例えば全世界を表示している場合、信号を生成することができない。代替であるが同様に好ましくは、クライアントデバイスがｓｅｇｍｅｎｔｓ＿ｍａｘ個よりも多くのセグメントを表示している場合、信号処理手段は信号を処理しない。ここで、ｓｅｇｍｅｎｔｓ＿ｍａｘは整数である。
【００４７】
好ましくは、セグメント、セグメント画像、又はデータに関連する任意の他のマップは、マップコンテンツサーバ上に存在し、マップコンテンツサーバから供給される。
【００４８】
好ましくは、信号処理手段、記憶手段及び格付け手段は、統計サーバ上に存在することができる。
【００４９】
マップコンテンツサーバ及び統計サーバは、異なるサーバでありうることが好ましい。
【００５０】
有利には、地理的領域は、或る特定のセグメント識別子を有するセグメントグループとして定義することができる。好ましくは、格付け手段は、地理的領域ごとに、その地理的領域内の全ての関連セグメントの公開格付けの平均として平均公開格付けを計算することができる。
【００５１】
マップ表示手段は、有利には、クライアントデバイス上の有機ＬＥＤディスプレイ等の電子ディスプレイでありうる。
【００５２】
信号トリガ手段は、有利には、マップ表示手段上の対応するセグメント識別子を有する或る特定のセグメントの表示を検出するソフトウェアルーチンとして実施することができる。例として、これはサーバからセグメントを受信するソフトウェアルーチンとすることができる。
【００５３】
測定手段は、有利には、表示手段上に表示されるセグメントごとのインプレッションをカウントし、これをサーバに送信するソフトウェアルーチンとして実施することができる。送信は、インターネット上でＨＴＴＰ又はＨＴＴＰＳプロトコル等のインターネットプロトコルを用いて、例えばＲＥＳＴｆｕｌウェブサービスによって達成することができる。
【００５４】
測定手段は、本発明の他の構成要素と組み合わせて、人間とクライアントとのインタラクションを自動的に認識及び捕捉し、システムがこのインタラクションを解釈して本発明の根底をなす技術問題を解決することを可能にするシステムとみなすことができる。
【００５５】
信号処理手段は、有利には、インターネット上でＨＴＴＰ／ＨＴＴＰＳプロトコルを用いて、例えばＲＥＳＴｆｕｌウェブサービスにより測定手段から信号を受信し、変数を作成又は更新して全ての送信された情報で埋めるソフトウェアルーチンとして実施することができる。例として、クライアントデバイスのＩＰアドレスの変数、クライアントデバイス上に表示される或る特定のセグメントの総カウントの変数、表示されたセグメントのセグメント識別子、セグメントごとの表示時間の持続時間、及びクライアントデバイスから収集した任意の他の情報を更新又は作成することができる。
【００５６】
記憶手段は、有利には、サーバ上に存在するリレーショナルデータベースとすることができる。有利には、受信される個々の信号のデータベーステーブルが作成される。前の段落で述べた全ての上述した変数を、このデータベーステーブルの異なる列に記憶することができる。好ましくは、単一セグメントのセグメント識別子によって識別される各単一セグメントに関連付けられたデータを記憶する別のデータベーステーブルが存在する。例として、総インプレッションカウント、平均表示持続時間、又は全てのクライアントデバイスにわたるセグメントごとの平均セグメントパーセンテージがこのデータベーステーブルに記録される。
【００５７】
格付け手段は、有利には、ソフトウェアルーチンとして実施することができる。例として、格付け手段は、セグメント識別子ごとに季節係数で正規化された総インプレッションカウントで正規化された平均表示持続時間を、全てのクライアントデバイス及び全ての記録された信号にわたる平均セグメントパーセンテージと乗算することによって、公開格付けを計算することができる。正規化は、これらの係数ごとに考慮される最大単一値を特定し、次に全ての値の平均を最大単一値の逆数値と乗算することによって達成することができる。
【００５８】
情報表示手段は、有利にはマップ表示手段として実施することができる。例として、クライアントデバイス上にマップを表示するスクリーンも追加の情報を同時に表示することができる。これは上記で検討したように達成することができる。代替的に、情報表示手段は、別個の有機ＬＥＤディスプレイ等の別個のディスプレイとして実施することができる。
【００５９】
本発明の別の実施形態では、本発明によれば、
或る特定の地理的エリアの公開格付けを取得するコンピュータ実施方法であって、
ａ．地理的エリアに対応する地形マップの或る特定のセグメント識別子を有するセグメントの画像を、サーバ又はマップサーバから少なくとも１つのクライアントデバイスに、この地理的エリアに対応するマップの表示を要求する、前記それぞれのクライアントデバイスによる前記サーバへの要求に基づいて転送及び表示するステップと、
ｂ．ユーザと前記少なくとも１つのクライアントデバイスとの間のインタラクションを、前記少なくとも１つのクライントデバイス上のセグメントの表示ごとに捕捉するステップであって、前記セグメントのインプレッション数に対応するセグメント周波数信号を作成する、捕捉するステップと、
ｃ．前記サーバ上で、前記セグメント周波数信号及び前記対応するセグメント識別子を含むロケーションデータを生成するステップと、
ｄ．前記クライアントデバイスのうちの少なくとも１つに前記セグメントの総インプレッションを定義する前記ロケーションデータを記憶するステップと、
ｅ．前記ロケーションデータを考慮して、前記セグメント周波数信号から求められた少なくとも１つのセグメント識別子に対応する特定の地理的エリアの公開格付けを計算するステップと
を含んでなる、コンピュータ実施方法によって問題が解決される。
【００６０】
有利には、本方法は、公開格付けに基づいてクライアントデバイス上に追加情報を表示するステップも含む。
【００６１】
したがって、本発明による方法は、基本的に、情報（信号）を解析し、新たな情報（公開格付け）を生成し、この新たな情報に基づく情報をクライアントデバイスに転送及び提供する方法である。
【００６２】
好ましい実施形態を長々と繰り返すことを回避するために、情報システムに関連して述べられる全ての好ましい実施形態は、本発明のこの実施形態にも当てはまる。
【００６３】
説明した全ての好ましい実施形態は、本発明の効率を改善し、本発明全体の信頼性を改善する同じ目標を有する。
【００６４】
上記で好ましい実施形態が説明されたが、本発明はこれらの実施形態には限定されず、本発明の範囲内で様々な変形及び変更を行うことが可能である。
【００６５】
本発明の原理と一致する例示的な実施形態を添付の図面に関して以下で説明する。
【図面の簡単な説明】
【００６６】
【図１】本発明の１組の基本動作を示す一般化された情報フロー図である。
【図２】様々な技術手段を有する分散システムを示す図である。
【図３】マップがセグメントにどのように分割されるかの一般的な原理を示す図である。
【図４】セグメントパーセンテージの概念を説明する図である。
【図５】公開格付けに基づく追加情報の表示を説明する図である。
【図６】３次元マップを有する３次元環境における状況を示す図である。
【発明を実施するための形態】
【００６７】
本発明の選択された実施形態は、以下において例示的に示され説明されるが、本発明は、説明される実施形態に限定されないことを理解されたい。代わりに、本発明の原理及び趣旨から逸脱することなく、これらの実施形態に変更を加えることができることが理解されるべきである。本発明の範囲は特許請求の範囲及びその等価物によって規定される。
【００６８】
図１は、情報システム１の１組の基本動作を示す一般化された情報フロー図である。クライアントデバイス３を用いるユーザが、自身のクライアントデバイス３のマップ表示手段７上に、「ドイツ国ケルン市ホーエシュトラセ」等の選択されたロケーション周辺のマップ５の一部を表示することを望む。したがって、クライアントデバイス３は、対応する要求を、マップのズームレベル並びに示される全マップの幅及び高さに関する情報とともにサーバ９に送信する。
【００６９】
そして、サーバ９はこの要求を処理し、それぞれのセグメント識別子１３を有するいずれのセグメント１１（この場合は２次元マップのタイル）が要求されたマップ５に対応するかを判定する。次に、サーバはこれらのセグメント１１をクライアントデバイス３に送信し、そしてクライアントデバイスは、これらのセグメント１１からなるマップ５を表示手段７上に表示する。
【００７０】
そして、サーバ９上の信号トリガ手段１５は、それぞれのセグメント識別子１３を有するいずれのセグメント１１が表示されるかを検出し、表示されるセグメント１１ごとのセグメント周波数信号１７をトリガする。
【００７１】
そして、このセグメント周波数信号１７は、サーバ上の測定手段１９によって捕捉及び記録され、サーバは、クライアントデバイスのＩＰアドレス、クライアントデバイスの地理的ロケーション、表示持続時間、セグメント１１ごとのセグメント識別子１３及セグメントパーセンテージ２１、並びにタイムスタンプ等の、このセグメント周波数信号１７に関する全ての必要な情報を収集し、サーバ９によって処理される全体セグメント周波数信号１７を形成する。そして、測定手段１９は、セグメント周波数信号１７を捕捉し、サーバ９上の信号処理手段２３がセグメント周波数信号を処理する。
【００７２】
信号処理手段２３はセグメント周波数信号１７を受信し、上記で示したような、セグメント周波数信号１７とともに送信される全ての情報によって定義されるロケーションデータ２５を生成する。上記情報は、セグメント識別子１３及びそれぞれのクライアントデバイス３上のセグメント識別子１３に対応するセグメント１１の総インプレッション数等である。
【００７３】
次に、このロケーションデータ２５は、リレーショナルデータベース等の記憶手段に送信され、記憶される。
【００７４】
この最後のステップまでの説明したプロセス全体は連続プロセスであり、格付け（正手段３７を用いて公開格付け２９を計算するのに必要なデータを収集するように常に実行されている。
【００７５】
公開格付け２９を計算する以下のステップは、連続して行うこともできるし、毎日１回等の、或る特定の時間間隔において行われるようにスケジューリングすることもできる。
【００７６】
公開格付け２９は、特定のセグメント識別子１３を有するセグメント１１ごとに計算することができる。公開格付け２９は、上記で説明されたように、多数のセグメント１１からなる地理的領域３１について計算することもできる。この例は、公開格付け２９が特定のセグメント１１について計算される第１の事例を説明している。
【００７７】
例えば、住所「ドイツ国ケルン市ホーエシュトラセ」付近のアイスクリームパーラーの賃料を推定するのに或る場所を格付けするために公開格付けを計算するときに考慮すべき要素は、以下のように計算することができる。
【００７８】
或る特定のセグメント１１の正規化された総カウントｃｏｕｎｔ＿ｔｏｔａｌ＿ｓｅｇｍｅｎｔ＿ｎｏｒｍは、或る特定のセグメントの全てのクライアントデバイスにわたる総インプレッションカウントｃｏｕｎｔ＿ｔｏｔａｌ＿ｓｅｇｍｅｎｔを、任意のセグメントの全てのクライアントデバイスにわたる任意の総インプレッションカウントの絶対最大値ｃｏｕｎｔ＿ｔｏｔａｌ＿ｍａｘで除算することによって計算される。
ｃｏｕｎｔ＿ｔｏｔａｌ＿ｓｅｇｍｅｎｔ＿ｎｏｒｍ＝ｃｏｕｎｔ＿ｔｏｔａｌ＿ｓｅｇｍｅｎｔ／ｃｏｕｎｔ＿ｔｏｔａｌ＿ｍａｘ
【００７９】
或る特定のセグメント１１の正規化された総視認持続期間ｄｕｒａｔｉｏｎ＿ｔｏｔａｌ＿ｓｅｇｍｅｎｔ＿ｎｏｒｍは、或る特定のセグメントの全てのクライアントデバイスにわたる総インプレッション視認持続時間ｄｕｒａｔｉｏｎ＿ｔｏｔａｌ＿ｓｅｇｍｅｎｔを、任意のセグメントの全てのクライアントデバイスにわたる任意の総インプレッション視認持続時間の絶対最大値ｄｕｒａｔｉｏｎ＿ｔｏｔａｌ＿ｍａｘで除算することによって計算される。
ｄｕｒａｔｉｏｎ＿ｔｏｔａｌ＿ｓｅｇｍｅｎｔ＿ｎｏｒｍ＝ｄｕｒａｔｉｏｎ＿ｔｏｔａｌ＿ｓｅｇｍｅｎｔ／ｄｕｒａｔｉｏｎ＿ｔｏｔａｌ＿ｍａｘ
【００８０】
或る特定のセグメント１１の平均セグメントパーセンテージｐｅｒｃｅｎｔａｇｅ＿ａｖｅｒａｇｅ＿ｓｅｇｍｅｎｔは、或る特定のセグメント１１の全てのクライアントデバイスにわたってインプレッションのセグメントパーセンテージの全ての値の平均をまとめることによって計算される。
【００８１】
アイスクリームパーラーの賃料を求めるための季節係数ｓｅａｓｏｎ＿ｆａｃｔｏｒは、夏は１とし、冬は０とし、春及び秋は０．５とすることができる。
【００８２】
次に、特定のセグメント１１の公開格付け２９を以下のように計算することができる。
ｅｘｐｏｓｉｔｉｏｎ＿ｒａｔｉｎｇ＿ｓｅｇｍｅｎｔ＝ｃｏｕｎｔ＿ｔｏｔａｌ＿ｓｅｇｍｅｎｔ＿ｎｏｒｍ＊ｄｕｒａｔｉｏｎ＿ｔｏｔａｌ＿ｓｅｇｍｅｎｔ＿ｎｏｒｍ＊ｐｅｒｃｅｎｔａｇｅ＿ａｖｅｒａｇｅ＿ｓｅｇｍｅｎｔ＊ｓｅａｓｏｎ＿ｆａｃｔｏｒ
【００８３】
そして、サーバは、表示される追加情報をクライアントに送信することを決定することができる。この追加情報は、１つ星から５つ星までの星格付けとすることができる。５つ星が最良の格付けである。したがって、クライアントデバイス３上に表示されるセグメント１１ごとに、ｅｘｐｏｓｉｔｉｏｎ＿ｒａｔｉｎｇ＿ｓｅｇｍｅｎｔが調べられ、星格付けの形態の追加コンテンツが以下のように決定される。
１つ星＝ｅｘｐｏｓｉｔｉｏｎ＿ｒａｔｉｎｇ＿ｓｅｇｍｅｎｔ＜０．２
２つ星＝０．２≦ｅｘｐｏｓｉｔｉｏｎ＿ｒａｔｉｎｇ＿ｓｅｇｍｅｎｔ＜０．４
３つ星＝０．４≦ｅｘｐｏｓｉｔｉｏｎ＿ｒａｔｉｎｇ＿ｓｅｇｍｅｎｔ＜０．６
４つ星＝０．６≦ｅｘｐｏｓｉｔｉｏｎ＿ｒａｔｉｎｇ＿ｓｅｇｍｅｎｔ＜０．８
５つ星＝０．８≦ｅｘｐｏｓｉｔｉｏｎ＿ｒａｔｉｎｇ＿ｓｅｇｍｅｎｔ
【００８４】
この決定プロセスに依拠して、サーバ９は、星格付け３３の対応する画像ファイルをクライアント３に送信し、この画像は、情報表示手段３５を用いて対応するセグメント１１の上にオーバレイとして表示される（図５も参照されたい）。
【００８５】
図２は、情報システム１の構成を示している。信号処理手段２３、記憶手段２７、信号トリガ手段１５、測定手段１９及び格付け手段３７がサーバ９上に存在する。マップ表示手段７及び情報表示手段３５がクライアントデバイス３上に存在する。
【００８６】
図３は、クライアントデバイス３上にマップ表示手段７を用いて表示されるマップ５を示している。図３は、示されるマップ５が一意のセグメント識別子１３を有する多数のセグメント１１からどのように構成されるかを示している。
【００８７】
図４は、セグメントパーセンテージ２１の概念を示している。マップ５の或る特定のセグメント１１は、マップ表示手段７上に完全に表示されない場合がある。
【００８８】
図５は、マップ５の或る特定の対応するセグメント１１の上のオーバレイとしての追加情報３３の表示を示している。
【００８９】
図６は、３次元マップ５を有する３次元環境における状況を示している。ユーザ３９は、或る特定の視認挙動４１を呈する。この視認挙動４１は、コンパスデバイス及び高度計と組み合わせて用いて、視線追跡を捕捉することができる。ユーザ３９は、或る特定のセグメント１１の方向を見る。
【００９０】
本明細書、図面及び特許請求の範囲において開示される特徴は、本質的に単独とすることもできるし、本発明及びその任意の実施形態と任意に組み合わせることもできるが、そうである必要はない。
【００９１】
上記を鑑みて、実質的に同じ機能を実行して同じ結果を実質的に同じように達成する要素及び／又は方法ステップの全ての組み合わせが本発明の範囲内にあることが明確に意図される。本発明の任意の開示形態又は実施形態に関連して示され及び／又は説明される構造及び／又は要素及び／又は方法ステップは、設計選択の一般事項として、任意の他の開示又は説明又は提案された形式又は実施形態に組み込むことができることが認識されるべきである。したがって、本明細書に添付される特許請求の範囲によって示されるようにのみ限定されることが意図される。
【符号の説明】
【００９２】
１  情報システム
３  クライアントデバイス
５  マップ
７  マップ表示手段
９  サーバ
１１  セグメント
１３  セグメント識別子
１５  信号トリガ手段
１７  セグメント周波数信号（または信号）
１９  測定手段
２１  セグメントパーセンテージ
２３  信号処理手段
２５  ロケーションデータ
２７  記憶手段
２９  公開格付け
３１  地理的領域
３３  追加情報（例えば、星格付けの画像ファイル）
３５  情報表示手段
３７  格付け手段
３９  ユーザ
４１  視認挙動
【図１】
2014182838.tif 000003
【図２】
2014182838.tif 000004
【図３】
2014182838.tif 000005
【図４】
2014182838.tif 000006
【図５】
2014182838.tif 000007
【図６】
2014182838.tif 000008
【外国語明細書】
2014182838.tif 000009
2014182838.tif 000010
2014182838.tif 000011
2014182838.tif 000012
2014182838.tif 000013
2014182838.tif 000014
2014182838.tif 000015
2014182838.tif 000016
2014182838.tif 000017
2014182838.tif 000018
2014182838.tif 000019
2014182838.tif 000020
2014182838.tif 000021
2014182838.tif 000022
2014182838.tif 000023
2014182838.tif 000024
2014182838.tif 000025
2014182838.tif 000026
2014182838.tif 000027
2014182838.tif 000028
2014182838.tif 000029
2014182838.tif 000030
2014182838.tif 000031
2014182838.tif 000032
2014182838.tif 000033
2014182838.tif 000034
2014182838.tif 000035
2014182838.tif 000036